(57)【特許請求の範囲】
【請求項１】
端部における両面のうち少なくとも一方の面上に複数の電極が設けられた回路基板と、
開口部を有し、前記回路基板を収容するケースと、
先端面及び両側面に一体的に開口する溝部が設けられたハウジング、及び、該ハウジングに保持され、前記電極と接触する接点部を含む一部分が前記溝部の側壁から前記溝部内に突出するとともに、前記接点部が前記溝部の深さ方向及び前記回路基板の厚さ方向に対応する前記溝部の幅方向の両方向に垂直な方向に沿って配列された複数の端子、を有するカードエッジコネクタと、を備え、
前記ハウジングの溝部に前記回路基板の端部が挿入配置されて前記電極が前記端子の接点部に接触するとともに、前記溝部を含むハウジングの一部が前記開口部から前記ケースの内部に収容されてなる電子装置であって、
前記溝部に配置され、回動可能に前記カードエッジコネクタに支持される回動部材を備え、
前記回動部材は、前記溝部内における前記接点部よりも溝部底側に配置され、前記配列方向に沿う軸を中心として回動するとともに各端子の溝内突出部分のうち前記接点部よりも溝部底側の部分に接触し、該接触部を含む前記端子の溝内突出部分を回動にともない前記幅方向において変位させる形状を有した回動部、及び、前記両側面側で前記溝部の外に位置するとともに前記回動部と一体的に回動するように前記回動部の両端にそれぞれ接続され、前記配列方向に垂直な方向において前記回動部から突起する第１突起部、を有し、
前記ケースは、前記第１突起部にそれぞれ対応して内壁から突起する第２突起部を有し、
前記端子の接点部は、前記回路基板が前記溝部に挿入されない初期状態で、前記幅方向における該端子が突出する側壁との距離が、該端子が突出する側壁と該端子の接点部が接触する前記回路基板の電極形成面との距離よりも長くなる位置とされ、
前記回路基板を挿入又は引き抜く際に、
前記第１突起部が前記第２突起部に接触して前記第２突起部を乗り越えるまで前記第１突起部とともに前記回動部が一方向に回転し、該回転により前記端子の溝内突出部分が前記幅方向に変位して、前記接点部が該端子が突出する側壁側に前記電極形成面から離れた位置となり、
前記第１突起部が前記第２突起部を乗り越えると前記第１突起部とともに前記回動部が前記一方向と反対方向に回転し、該回転により、前記回路基板を挿入する際には前記端子の接点部が前記回路基板の電極に接触することを特徴とする電子装置。
【請求項２】
前記電極は、前記回路基板の両面にそれぞれ設けられ、
前記複数の端子は、前記電極に対応して、前記溝部の一方の側壁から突出する端子と、前記一方の側壁と対向する側壁から突出する端子と、を有することを特徴とする請求項１に記載の電子装置。
【請求項３】
前記回動部は、前記軸に垂直な面の外形輪郭が前記軸に対して点対称形状とされ、
相対する前記側壁から突出する前記端子の溝内突出部分は、前記初期状態で、前記深さ方向に沿い、前記幅方向において前記溝部の中心を通る仮想線に対して対称配置されるとともに、前記軸に対する点対称位置で前記回動部に接することを特徴とする請求項２に記載の電子装置。
【請求項４】
前記回動部は、前記初期状態においても、各端子の溝内突出部分のうち前記接点部よりも溝部底側の部分と接触することを特徴とする請求項１〜３いずれか１項に記載の電子装置。
【請求項５】
前記回動部は、前記軸と前記端子の接触部との距離が、前記初期状態で最短となり、前記一方向への回転量に応じて長くなるとともに、前記一方向への回転が停止し、前記反対方向へ回転する前の状態で最長となる形状を有していることを特徴とする請求項４に記載の電子装置。
【請求項６】
前記回動部は、前記軸に垂直な面の外形輪郭が楕円形をなすとともに、楕円の中心が前記軸と一致し、楕円の短軸と外形輪郭との第１交点から楕円の長軸と外形輪郭との第２交点までの回転角９０度以内の範囲を、前記溝内突出部分の接触部との接触範囲とすることを特徴とする請求項５に記載の電子装置。
【請求項７】
前記回動部は、前記軸に垂直な面の外形輪郭が長方形をなすとともに、長方形の中心が前記軸と一致し、
前記端子の接触部は、前記初期状態で長方形の前記回動部の長辺及び角部の少なくとも一方に接触し、前記回路基板を挿入又は引き抜く際及び前記回路基板が前記溝部に配置された状態において、長方形の前記回動部の角部に接触することを特徴とする請求項５に記載の電子装置。
【請求項８】
前記回動部材の第１突起部と、前記ケースの第２突起部とは、互いに接触する部分が丸みを帯びた凸形状とされていることを特徴とする請求項１〜７いずれか１項に記載の電子装置。
【発明の詳細な説明】
【技術分野】
【０００１】
本発明は、カードエッジコネクタに回路基板の端部が挿入されてなる電子装置に関するものである。
【背景技術】
【０００２】
従来、特許文献１に示されるように、カードエッジコネクタが知られている。このカードエッジコネクタでは、回路基板そのものがオス端子の役割を果たし、その回路基板の端部をカードエッジコネクタに挿入することにより、回路基板の端部表面に設けられた複数の電極と、ハウジングから露出する端子の接点部とが接触して電気的な導通が図られる。
【先行技術文献】
【特許文献】
【０００３】
【特許文献１】特開２００３−１７８８３４号公報
【発明の概要】
【発明が解決しようとする課題】
【０００４】
従来のカードエッジコネクタでは、端子のばね力により、接点部が電極に安定的に接触するようになっている。したがって、回路基板をカードエッジコネクタに挿入する際、又は、カードエッジコネクタから回路基板を引き抜く際に、回路基板のエッジや電極形成面に端子の接点部が接触し、端子表面のメッキ層が剥がれるなど端子が損傷したり、変形したりする恐れがあった。また、剥がれたメッキ屑などにより短絡が生じる恐れがあった。すなわち、電気的な接続信頼性が低下する恐れがあった。
【０００５】
本発明は上記問題点に鑑み、カードエッジコネクタを備える電子装置において、電気的な接続信頼性を向上することを目的とする。
【課題を解決するための手段】
【０００６】
上記目的を達成する為に、以下に示す電子装置は、
端部における両面のうち少なくとも一方の面上に複数の電極が設けられた回路基板と、
開口部を有し、回路基板を収容するケースと、
先端面及び両側面に一体的に開口する溝部が設けられたハウジング、及び、該ハウジングに保持され、電極と接触する接点部を含む一部分が溝部の側壁から溝部内に突出するとともに、接点部が溝部の深さ方向及び回路基板の厚さ方向に対応する溝部の幅方向の両方向に垂直な方向に沿って配列された複数の端子、を有するカードエッジコネクタと、を備え、
ハウジングの溝部に回路基板の端部が挿入配置されて電極が端子の接点部に接触するとともに、溝部を含むハウジングの一部が開口部からケースの内部に収容されてなる。
【０００７】
そして、請求項１に記載の発明では、
溝部に配置され、回動可能にカードエッジコネクタに支持される回動部材を備え、
回動部材は、溝部内における接点部よりも溝部底側に配置され、配列方向に沿う軸を中心として回動し、回動中に各端子の溝内突出部分のうち接点部よりも溝部底側の部分と接触して該接触部を含む溝内突出部分を幅方向において変位させる形状を有した回動部、及び、両側面側で溝部の外に位置するとともに回動部と一体的に回動するように回動部の両端にそれぞれ接続され、配列方向に垂直な方向において回動部から突起する第１突起部、を有し、
ケースは、第１突起部にそれぞれ対応して内壁から突起する第２突起部を有し、
端子の接点部は、回路基板が溝部に挿入されない初期状態で、幅方向における該端子が突出する側壁との距離が、該端子が突出する側壁と該端子の接点部が接触する回路基板の電極形成面との距離よりも長くなる位置とされ、
回路基板を挿入又は引き抜く際に、
第１突起部が第２突起部に接触して第２突起部を乗り越えるまで第１突起部とともに回動部が一方向に回転し、該回転により端子の溝内突出部分が幅方向に変位して、端子の接点部が該端子が突出する側壁側に電極形成面から離れた位置となり、
第１突起部が第２突起部を乗り越えると第１突起部とともに回動部が一方向と反対方向に回転し、該回転により、回路基板を挿入する際には端子の接点部が回路基板の電極に接触することを特徴とする。
【０００８】
本発明によれば、回路基板を挿入する（又は引き抜く）際に、回動部材の第１突起部がケースの第２突起部に接触し、さらに回路基板を挿入する（又は引き抜く）と、第１突起部が第２突起部を乗り越えるように回動部材の回動部が一方向に回転する。回動部は、その形状により、該回動部に接する端子の溝内突出部分を、上記一方向への回転時に初期状態よりも該端子が突出する側壁（以下、単に側壁と示す）に近づくように変位させる。この変位により、端子の接点部は側壁に近づく方向であって対応する電極形成面から離れた位置となる。すなわち、接点部が、回路基板と接触しない位置となる。
【０００９】
また、回動部の一方向への回転により、端子の溝内突出部分は、回動部に押されて変位するとともに弾性変形状態となる。したがって、第１突起部が第２突起部を乗り越えると、弾性変形した溝内突出部分の反力によって回動部が反対方向に回転し、該回転により、溝内突出部分が側壁から遠ざかるように変位する。これにより、回路基板の挿入時において、端子の接点部が回路基板の電極形成面に近づき、接点部が電極に接触する。端子の接点部は、初期状態で回路基板の電極形成面よりも側壁に対して遠い位置にあるため、上記電極との接触状態で、電極に安定的に接触する。なお、回路基板を引き抜く際には、回動部の反対方向への回転により、端子の接点部が初期状態の位置まで戻る。
【００１０】
このように、回路基板の挿入又は引き抜きにともなって、端子の接点部を回路基板から遠ざけることができるので、従来に比べて、端子の接点部の損傷や変形を抑制することができる。すなわち、カードエッジコネクタを備える電子装置において、電気的な接続信頼性を向上することができる。
【００１１】
請求項２に記載のように、電極が回路基板の両面にそれぞれ設けられ、複数の端子が、電極に対応して、溝部の一方の側壁から突出する端子と、一方の側壁と対向する側壁から突出する端子とを有すると良い。
【００１２】
これによれば、カードエッジコネクタによる電気的な接続経路を効率的に増やすことができる。また、回路基板の両面側にそれぞれ位置する端子によって回路基板を固定することができるので、回路基板の一面側に位置する端子と、回路基板の他方の面側に位置し、弾性変形による反力を付与しない支持部とで回路基板を固定する構成に比べて、幅方向における回路基板の位置調整代を大きくすることができる。例えば、反りの大きい回路基板にも対応することができる。また、反りなどにより、回路基板に弾性変形による反力が過大に付与されるのを抑制することもできる。
【００１３】
請求項３に記載のように、回動部は、軸に垂直な面の外形輪郭が軸に対して点対称形状とされ、相対する側壁から突出する端子の溝内突出部分は、初期状態で、深さ方向に沿い、幅方向において溝部の中心を通る仮想線に対して対称配置されるとともに、軸に対する点対称位置で回動部に接することが好ましい。
【００１４】
これによれば、回路基板の両面側にそれぞれ位置する端子（対をなす端子）の溝内突出部分を、ほぼ同じタイミングで同じ変位をさせることができる。また、対をなす端子は、線対称構造であり、ほぼ同じばね力を発揮する。したがって、対をなす端子により、回動部を、幅方向における溝部中心に保持することができる。
【００１５】
請求項４に記載のように、回動部は、初期状態においても、各端子の溝内突出部分のうち接点部よりも溝部底側の部分と接触することが好ましい。
【００１６】
これによれば、端子が常に回動部に接するので、回動部との接触部が支点となり、接点部の幅方向における位置を決めやすくなる。すなわち、回路基板の電極に対する接点部のコプラナリティを向上することができる。また、初期状態で回動部に端子が接触しない構成に比べて、端子の、変位量に対する反力を高めることができる。また、請求項３に記載の発明においては、対をなす端子により、回動部を幅方向における所定位置に常時保持することができる。
【００１７】
回動部としては、請求項５に記載のように、軸と端子の接触部との距離が、初期状態で最短となり、一方向への回転量に応じて長くなるとともに、一方向への回転が停止し、反対方向へ回転する前の状態で最長となる形状を有した構成を採用すると良い。
【００１８】
上記したように、第１突起部が第２突起部を乗り越えたあと、弾性変形した溝内突出部分の反力によって回動部が反対方向に回転する。したがって、上記構成によれば、端子の接点部が回路基板の電極に接触するまで、回動部をより確実に反対方向に回転させることができる。
【００１９】
具体的には、請求項６に記載のように、回動部は、軸に垂直な面の外形輪郭が楕円形をなすとともに、楕円の中心が軸と一致し、楕円の短軸と外形輪郭との第１交点から楕円の長軸と外形輪郭との第２交点までの回転角９０度以内の範囲を、溝内突出部分の接触部との接触範囲とすると良い。
【００２０】
これによれば、請求項５に記載の発明の効果に加えて、回動部と端子との挿入（又は引き抜き）抵抗を低減し、回路基板をカードエッジコネクタに対して挿抜しやすくすることができる。
【００２１】
また、請求項７に記載のように、回動部は、軸に垂直な面の外形輪郭が長方形をなすとともに、長方形の中心が軸と一致し、端子の接触部は、初期状態で長方形の回動部の長辺及び角部の少なくとも一方に接触し、回路基板を挿入又は引き抜く際及び回路基板が溝部に配置された状態において、長方形の回動部の角部に接触する構成としても良い。
【００２２】
これによれば、請求項５に記載の発明の効果に加えて、外形輪郭が楕円であり、短軸の長さが短辺と等しく、長軸の長さが長辺と等しい回動部に比べて、回転角（回転量）に対する接点部の幅方向の変位量を大きくとることができる。
【００２３】
請求項８に記載のように、回動部材の第１突起部と、ケースの第２突起部とは、互いに接触する部分が丸みを帯びた凸形状とされると良い。これによれば、回路基板をカードエッジコネクタに対して挿抜しやすくすることができる。
【図面の簡単な説明】
【００２４】
【図１】第１実施形態に係る電子装置の概略構成を示す断面図である。
【図２】図１のＩＩ−ＩＩ線に沿う断面図である。
【図３】図２のＩＩＩ−ＩＩＩ線に沿う断面図である。
【図４】回動部材を示す図であり、（ａ）は斜視図、（ｂ）は端部側から見た平面図である。
【図５】回路基板の挿入過程を示す平面図である。
【図６】回路基板の引き抜き過程を示す平面図である。
【図７】（ａ），（ｂ）ともに、第１突起部の変形例を示す平面図である。
【図８】（ａ），（ｂ）ともに、回動部の変形例を示す平面図である。
【図９】回動部材を支持するハウジングの変形例を示す図であり、（ａ）は斜視図、（ｂ）はａ）のＩＸＢ−ＩＸＢ線に沿う断面図、（ｃ）はｂ）のＩＸＣ−ＩＸＣ線に沿う断面図である。
【発明を実施するための形態】
【００２５】
以下、本発明の実施の形態を、図面を参照して説明する。なお、以下に示す各実施形態において、共通乃至関連する要素には同一の符号を付与するものとする。また、ハウジングの溝部に回路基板が挿入されない状態を初期状態とし、ハウジングの溝部に回路基板が挿入・配置された状態を固定状態とする。
（第１実施形態）
図１に示すように、電子装置１０は、要部として、カードエッジコネクタ２０と、回路基板６０と、及びケース８０を備える。
【００２６】
カードエッジコネクタ２０は、ハーネス３２（ハーネス３２を介した電子装置１０外の機器）と回路基板６０とを電気的に接続する中継部材であり、要部として、電気絶縁材料からなるハウジング３０と、ハウジング３０に保持された端子４０と、回動可能に支持された回動部材５０と、を有する。
【００２７】
ハウジング３０は、例えば樹脂を射出成形してなり、回路基板６０が挿入配置される溝部３１（収納空間）を有する。溝部３１は、図１〜図３に示すように、ハウジング３０の先端面３０ａに開口しており、回路基板６０の厚さに応じた所定幅と回路基板６０の挿入深さに応じた所定深さを有する。以下、溝部３１の幅方向を単に幅方向、溝部３１の深さ方向を単に深さ方向と示す。また、溝部３１は、両側面３０ｂにも先端面３０ａと一体的に開口する。
【００２８】
ハウジング３０は、ハーネス３２を収納する収納空間３３を有し、この収納空間３３にハーネス３２が挿入されると、端子４０とハーネス３２が電気的に接続される。また、ハウジング３０の外周面には、例えばシリコンゴムからなるシール部材３４が外周面に沿って環状に設けられている。このため、ハウジング３０がケース８０に嵌め込まれると、シール部材３４により、ケース８０の内面とハウジング３０の外面との隙間から、ケース８０の内部空間８１に水分等が侵入するのを防ぐことができる。また、図示しないが、ハウジング３０の外周面には、ケース８０との嵌合部が設けられている。
【００２９】
なお、ハウジング３０としては、複数のハウジング構成部材を組み合わせることで、１つのハウジング３０をなす構成を採用することもできる。
【００３０】
端子４０は、導電性が良好な金属材料を用いて形成されている。例えばりん青銅をニッケルメッキで被覆し、さらに金メッキで被覆してなるものを採用することができる。図３に示すように、端子４０のうち、回路基板６０の端部に設けられた電極６１（ランド）との接点部４１を含む一部分４２が、溝部３１の側壁から溝部３１内に突出している。この溝部３１内に突出した部分を、以下において溝内突出部分４２と示す。この溝内突出部分４２は弾性変形可能に設けられている。
【００３１】
そして、端子４０の接点部４１は、該接点部４１を含む溝内突出部分４２が弾性変形した状態で電極６１と接触する。したがって、回路基板６０の電極６１との間で安定した接触圧を確保することができる。本実施形態では、溝部３１の相対する側壁から溝部３１内に溝内突出部分４２が突出しており、回路基板６０の両面側に位置する溝内突出部分４２の弾性変形による反力（付勢力）により、回路基板６０が固定される。また、回路基板６０の両面側に位置する溝内突出部分４２が、幅方向における溝部３１の中心を通る深さ方向に沿った仮想線に対して線対称配置となっており、両面側に位置する溝内突出部分４２のばね力が釣り合っている。したがって、両面側に位置する溝内突出部分４２により、幅方向における溝部３１の中心に回路基板６０を保持することができる。なお、端子４０の接点部４１は、幅方向及び深さ方向の両方向に垂直な方向に沿って配列されている。以下、複数の接点部４１の配列方向を単に配列方向と示す。
【００３２】
また、溝内突出部分４２のうち、接点部４１よりも溝部底３１ｃ側の一部分に、回動部材５０の回動部５１が少なくとも回動中に接触する。この回動部５１との接触部分を接触部４３と示す。本実施形態では、接触部４３が、回動部５１の回動中だけでなく、初期状態及び固定状態においても回動部５１と接触する。この接触部４３の位置は、幅方向及び深さ方向において、回動部５１の回動により変化する。本実施形態では、初期状態、回路基板６０の挿抜時、及び固定状態において、溝内突出部分４２の接触部４３となり得る部分が、深さ方向に略平行に配置されている。また、両面側に位置する溝内突出部分４２により、幅方向における溝部３１の中心に回動部５１を保持するようになっている。
【００３３】
また、本実施形態では、端子４０として、電力伝送用のパワー端子４４と、パワー端子４４よりも断面積の小さい、信号伝送用のシグナル端子４５を有する。また、端子４０のうち、ハーネス３２との接点部は、ハウジング３０における先端面３０ａと反対の面に開口する収納空間３３に露出している。したがって、ハウジング３０の収納空間３３にハーネス３２が挿入された状態で、端子４０を介して、回路基板６０とハーネス３２とが電気的に接続される。なお、ハーネス３２と一体化した構造の端子４０を採用することもできる。
【００３４】
回動部材５０は、回路基板６０の挿抜（回路基板６０を収容したケース８０のハウジング３０への嵌め込み）にともない、この挿抜方向（深さ方向）の力を幅方向の力に変換して、端子４０の溝内突出部分４２を幅方向に変位させ、これをもって回路基板６０の挿抜による接点部４１のダメージを抑制するためのものである。
【００３５】
この回動部材５０は、ハウジング３０の溝部３１に配置され、回動可能にカードエッジコネクタ２０に支持されている。そして、溝部３１内に配置され、配列方向に沿う軸Ｃ１（以下、回転軸Ｃ１と示す）を中心として回動可能に保持された回動部５１と、回動部５１と一体的に回動するように回動部５１の両端にそれぞれ接続された第１突起部５２を有している。
【００３６】
回動部５１は、図３に示すように、溝部底３１ｃ付近、すなわち、深さ方向において接点部４１よりも溝部底３１ｃ側に配置されている。また、回動中に各端子４０の溝内突出部分４２のうち接点部４１よりも溝部底３１ｃ側の一部分（上記接触部４３）と接触して、接触部４３を含む溝内突出部分４２を、幅方向において変位させる形状を有している。換言すれば、回動部５１に回転にともない、溝内突出部分４２の接触部４３の位置が幅方向及び深さ方向で変化するように、回動部５１が構成されている。
【００３７】
本実施形態では、図４（ｂ）に示すように、回動部５１の、配列方向に垂直な面の外形輪郭が楕円形をなしており、楕円の中心が回転軸Ｃ１となっている。また、破線で示す短軸Ａ１と外形輪郭（楕円）との第１交点５４から、破線で示す長軸Ａ２と外形輪郭（楕円）との第２交点５５までの、回転角９０度以内の範囲が、溝内突出部分４２の接触部４３が回動部５１の回動にともなって接触する範囲となっている。換言すれば、回動部５１は、外形輪郭が回転軸Ｃ１に対して点対称形状となっている。また、回転軸Ｃ１と端子４０の接触部４３との距離が、初期状態で最短となり、回路基板６０の挿抜にともなう一方向への回転量に応じて長くなるとともに、一方向への回転が停止し、反対方向へ回転する前の状態で最長となる形状を有している。
【００３８】
また、回動部５１は、溝部３１の両側壁３１ａ，３１ｂからそれぞれ突出する端子４０の溝内突出部分４２の弾性変形による反力により、幅方向において所定位置に保持される。すなわち、回動可能にカードエッジコネクタ２０に支持されている。本実施形態では、上記したように、両面側に位置する溝内突出部分４２により、幅方向における溝部３１の中心に回動部５１が保持される。
【００３９】
第１突起部５２は、ハウジング３０の両側面３０ｂ側で溝部３１の外に位置しており、配列方向に垂直な方向において回動部５１から突起している。この第１突起部５２が、回路基板６０の挿抜にともなってケース８０の後述する第２突起部８２と接触することで、回動部５１が回転する。本実施形態では、図４（ｂ）に示すように、第１突起部５２が、回転軸Ｃ１から短軸Ａ１に沿いつつ、回動部５１の外形輪郭（楕円）よりも外側まで延びている。また、後述するケース８０の第２突起部８２と接触する部分が丸みを帯びた凸形状（Ｒ形状）となっている。
【００４０】
そして、本実施形態では、これら回動部５１及び第１突起部５２が、繋ぎ部５３によって連結されて、１つの回動部材５０をなしている。繋ぎ部５３は、配列方向に垂直な面の外形輪郭が真円状となっており、真円の中心が回転軸Ｃ１と一致している。なお、回動部材５０としては、繋ぎ部５３の無い構成とすることもできる。この場合、第１突起部５２は、回動部５１の端部に連結され、配列方向に垂直な方向において、回動部５１の外形輪郭よりも外側に延びていれば良い。
【００４１】
このように構成されるカードエッジコネクタ２０は、回路基板６０及びケース８０とともに電子装置１０を構成する。本実施形態では、回路基板６０の両面に電極６１が形成されており、これにより、カードエッジコネクタ２０による電気的な接続経路を効率的に増やすことができる。また、ケース８０は袋状をなし、その内部空間８１に、回路基板６０とともにハウジング３０を深さ方向において溝部３１の底よりも深い位置まで収容する。このケース８０は、１つの部材のみからなっても良いし、複数の部材を組み合わせて構成することもできる。
【００４２】
また、ケース８０は、回動部材５０の第１突起部５２にそれぞれ対応して、内壁から突起する第２突起部８２を有している。この第２突起部８２に回動部材５０の第１突起部５２が接触することで、回路基板６０の挿抜にともなって第１突起部５２とともに回動部５１が回動し、端子４０の溝内突出部分４２を変位させるようになっている。
【００４３】
本実施形態では、図２及び図３に示すように、第２突起部８２が、ケース８０の内壁のうち幅方向に垂直な一面から、幅方向に沿って延びている。また、回動部材５０の第１突起部５２と接触する部分が丸みを帯びた凸形状（Ｒ形状）となっている。このように、第１突起部５２と第２突起部８２がともに、丸みを帯びた凸形状となっているため、回路基板６０をカードエッジコネクタ２０に対して挿抜しやすくすることができる。なお、第２突起部８２は、ケース８０の内壁のうち幅方向に垂直な一面ではなく、配列方向に垂直な一面に設けることもできる。
【００４４】
次に、カードエッジコネクタ２０の溝部３１に回路基板６０を挿入配置する際、換言すればハウジング３０にケース８０を嵌めこむ際の、溝内突出部分４２（４２ａ，４２ｂ）及び回動部材５０の動作を、図５（ａ）〜（ｄ）を用いて説明する。
【００４５】
ケース８０に収容された状態で回路基板６０をハウジング３０の溝部３１内に挿入すると、図５（ａ）に示すように、回路基板６０の端部６０ｃ（エッジ）が溝内突出部分４２に接触する前、換言すれば深さ方向において接点部４１に到達する前に、回動部材５０の第１突起部５２が、ケース８０の第２突起部８２に接触する。このように、第１突起部５２が第２突起部８２に接触するまでは、端子４０の溝内突出部分４２及び回動部材５０は、初期状態の配置を維持する。
【００４６】
この初期状態では、図５（ａ）に示すように、側壁３１ａ（側壁３１ｂ）から突出する溝内突出部分４２ａ（溝内突出部分４２ｂ）の接点部４１ａ（接点部４１ｂ）と側壁３１ａ（側壁３１ｂ）との距離が、側壁３１ａ（側壁３１ｂ）と接点部４１ａが接触する回路基板６０の電極形成面６０ａ（電極形成面６０ｂ）との距離よりも長くなっている。換言すれば、相対する側壁３１ａ，３１ｂから突出する溝内突出部分４２ａ，４２ｂの接点部４１ａ，４１ｂ間の、幅方向に沿う距離が、回路基板６０の厚みｔ１よりも短くなっている。したがって、固定状態において、弾性変形による反力により、接点部４１と電極６１の接触圧を確保することができる。なお、図５（ａ）に示すように、本実施形態では、接点部４１ａ，４１ｂ間の、幅方向に沿う距離が、回路基板６０の厚みｔ１よりも短く、且つ、接点部４１，４１ｂが互いに接触しない距離となっている。
【００４７】
また、回動部５１を保持すべく、端子４０の溝内突出部分４２ａ，４２ｂのばね力がほぼ同じとなるように、相対する溝内突出部分４２ａ，４２ｂが、幅方向において溝部３１の中心を通り、深さ方向に沿う仮想線に対して対称配置となる。そして、回動中だけでなく、初期状態及び固定状態においても、溝内突出部分４２ａ，４２ｂの接触部４３ａ，４３ｂが回動部５１と接触し、回動部５１は溝内突出部分４２ａ，４２ｂから弾性変形による反力を受ける。したがって、相対する溝内突出部分４２ａ，４２ｂにより、回動部５１の回転軸Ｃ１が、幅方向において溝部３１の中心とほぼ一致するように、常時回動部５１を保持することができる。
【００４８】
なお、初期状態において、接触部４３ａ，４３ｂは、外形輪郭楕円の回動部５１における第１交点５４にそれぞれ接触する。この初期状態における、接触部４３ａ，４３ｂと回転軸Ｃ１との距離（回転半径）をｒ１とする。また、幅方向における接点部４１ａ，４１ｂ間の距離をＬ１とする。また、初期状態で、回動部５１の楕円の短軸Ａ１及び第１突起部５２の延びる方向は、ともに幅方向に沿っており、回動部５１の楕円の長軸Ａ２が、深さ方向に沿っている。
【００４９】
次いで、第１突起部５２が第２突起部８２に接した状態から、回路基板６０を溝部底３１ｃ側へさらに挿入すると、回路基板６０とともに深さ方向に変位する第２突起部８２に第１突起部５２が押されて、図５（ｂ）に示すように、第１突起部５２とともに回動部５１が矢印で示す一方向に回転する。
【００５０】
このように回動部５１が一方向に回転すると、楕円の長軸Ａ２が深さ方向と平行な状態から傾くため、回動部５１に接する溝内突出部分４２ａが、初期状態よりも対応する側壁３１ａに近づくように変位する。また、この溝内突出部分４２ａの変位とともに、回動部５１に接する溝内突出部分４２ｂが、初期状態よりも対応する側壁３１ｂに近づくように変位する。本実施形態では、相対する溝内突出部分４２ａ，４２ｂが、回動部５１の回転により、初期状態に対して押し開かれる。これにより、端子４０の接点部４１ａ，４１ｂは側壁に近づく方向であってそれぞれ対応する電極形成面６０ａ，６０ｂから離れた位置となる。すなわち、接点部４１ａ，４１ｂが、回路基板６０と接触しない位置となる。
【００５１】
このような接点部４１ａ，４１ｂの回路基板６０と接触しない位置までの変位は、図５（ｂ）に示すように、回路基板６０の端部６０ｃが溝内突出部分４２に接触する前、換言すれば深さ方向において接点部４１に到達する前におこる。なお、図５（ｂ）に示す時点での、接触部４３ａ，４３ｂと回転軸Ｃ１との距離ｒ２（回転半径）は、初期状態の距離ｒ１よりも長くなる。また、幅方向における接点部４１ａ，４１ｂ間の距離Ｌ２も初期状態の距離Ｌ１より長くなる。
【００５２】
図５（ｃ）は、図５（ｂ）に示す状態から回路基板６０を溝部底３１ｃ側へさらに挿入し、第１突起部５２とともに回動部５１が一方向に回転して、第１突起部５２が第２突起部８２を乗り越えた上死点の状態を示している。図５（ｃ）に示す時点では、回路基板６０の端部６０ｃが、深さ方向において接点部４１を通り過ぎている。また、接触部４３ａ，４３ｂと回転軸Ｃ１との距離ｒ３（回転半径）は、上記した距離ｒ１，ｒ２よりも長くなる。また、幅方向における接点部４１ａ，４１ｂ間の距離Ｌ３も、上記した距離Ｌ１，Ｌ２より長くなる。
【００５３】
ここで、端子４０の溝内突出部分４２ａ，４２ｂは、回動部５１の、初期状態からの回転量が大きいほど弾性変形状する。本実施形態では、相対する溝内突出部分４２ａ，４２ｂのばね力がほぼ同じであり、回転軸Ｃ１に対して点対称位置で接触部４３ａ，４３ｂが楕円状の回動部５１に接触する。したがって、回動部５１は、幅方向において回転軸Ｃ１の位置をほぼ一定としたまま回転することができる。
【００５４】
次いで、第１突起部５２が上死点の状態から、回路基板６０を溝部底３１ｃ側へさらに挿入すると、第２突起部８２を乗り越えた第１突起部５２が自由状態となり、弾性変形した溝内突出部分４２ａ，４２ｂの反力（弾性変形エネルギーの解放）で、図５（ｄ）に示すように、回動部５１が上記一方向と反対の方向（以下、反対方向と示す）に回転する。これにより、溝内突出部分４２ａ，４２ｂが対応する側壁３１ａ，３１ｂから遠ざかるように、すなわち初期状態に戻るように変位する。そして、端子４０の接点部４１ａ，４１ｂが回路基板６０の対応する電極形成面６０ａ，６０ｂにそれぞれ近づき、接点部４１ａ，４１ｂが電極６１（図５では省略）に接触する。
【００５５】
本実施形態では、図５（ｄ）に示すように、溝内突出部分４２ａ，４２ｂ及び回動部材５０は初期状態と同じ配置まで戻る。したがって、接触部４３ａ，４３ｂと回転軸Ｃ１との距離ｒ４（回転半径）は、上記した距離ｒ１と同じ長さとなる。一方、幅方向における接点部４１ａ，４１ｂ間の距離Ｌ４は、接点部４１ａ，４１ｂ間に回路基板６０が存在するため、上記した距離Ｌ１より長く、回路基板６０の厚さｔ１とほぼ等しくなる。したがって、端子４０の接点部４１ａ，４１ｂは、電極６１との接触状態で電極６１に安定的に接触する。
【００５６】
また、溝内突出部分４２ａ，４２ｂ及び回動部材５０は初期状態と同じ配置まで戻るため、固定状態においても、溝内突出部分４２ａ，４２ｂの弾性変形による反力により、回動部５１を幅方向において溝部３１の中心に保持することができる。
【００５７】
なお、回路基板６０を、カードエッジコネクタ２０の溝部３１から引き抜く際、換言すればハウジング３０とケース８０の嵌合状態を解除する際の、回動部材５０の動作についても、図６（ａ）〜（ｄ）を用いて簡単に説明する。
【００５８】
図５（ｄ）に示した固定状態に対し、ケース８０に収容された回路基板６０を、図６（ａ）に示すように、深さ方向においてハウジング３０の溝部３１から引き抜く方向に変位させる。すると、先ず回動部材５０の第１突起部５２がケース８０の第２突起部８２に接触する。このように、第１突起部５２が第２突起部８２に接触するまでは、端子４０の溝内突出部分４２ａ，４２ｂ及び回動部材５０は、固定状態の配置を維持する。
【００５９】
次いで、第１突起部５２が第２突起部８２に接した状態から、回路基板６０をさらに引き抜くと、回路基板６０とともに深さ方向に変位する第２突起部８２に第１突起部５２が押されて、図６（ｂ）に示すように、第１突起部５２とともに回動部５１が、反対方向に回転する。
【００６０】
このように回動部５１が反対方向に回転すると、楕円の長軸Ａ２が深さ方向と平行な状態から傾くため、回動部５１に接する溝内突出部分４２ａが、固定状態よりも対応する側壁３１ａに近づくように変位する。また、この溝内突出部分４２ａの変位とともに、回動部５１に接する溝内突出部分４２ｂが、固定状態よりも対応する側壁３１ｂに近づくように変位する。本実施形態では、相対する溝内突出部分４２ａ，４２ｂが、回動部５１の回転により、固定状態に対して押し開かれる。これにより、端子４０の接点部４１ａ，４１ｂは側壁３１ａ，３１ｂに近づく方向であってそれぞれ対応する電極形成面６０ａ，６０ｂから離れた位置となる。すなわち、接点部４１ａ，４１ｂが、回路基板６０と接触しない位置となる。
【００６１】
このような接点部４１ａ，４１ｂの回路基板６０と接触しない位置までの変位は、図６（ｂ）に示すように、回路基板６０の端部６０ｃが、深さ方向において接点部４１を抜けきる前におこる。
【００６２】
図６（ｃ）は、図６（ｂ）に示す状態から回路基板６０をさらに引き抜き、第１突起部５２とともに回動部５１が反対方向に回転して、第１突起部５２が第２突起部８２を乗り越えた上死点の状態を示している。図６（ｃ）に示す時点では、回路基板６０の端部６０ｃが、深さ方向において接点部４１を抜け切っている（通り過ぎている）。
【００６３】
このように、反対方向への回転においても、相対する溝内突出部分４２ａ，４２ｂのほぼ等しい反力により、回動部５１は、幅方向において回転軸Ｃ１の位置をほぼ一定としたまま回転することができる。
【００６４】
次いで、第１突起部５２が上死点の状態から、回路基板６０をさらに引き抜くと、第２突起部８２を乗り越えた第１突起部５２が自由状態となり、弾性変形した溝内突出部分４２ａ，４２ｂの反力（弾性変形エネルギーの解放）で、図６（ｄ）に示すように、回動部５１が上記一方向に回転する。これにより、溝内突出部分４２ａ，４２ｂが対応する側壁３１ａ，３１ｂから遠ざかるように、すなわち初期状態に戻るように変位する。
【００６５】
次に、本実施形態に示した電子装置１０の特徴部分の効果について説明する。
【００６６】
本実施形態では、回路基板６０を挿抜する際に、回動部材５０の第１突起部５２がケース８０の第２突起部８２に接触し、第１突起部５２が第２突起部８２を乗り越えるまで、回動部材５０の回動部５１が一方向に回転する。回動部５１は、その形状により、該回動部５１に接する端子４０の溝内突出部分４２（４２ａ，４２ｂ）を、上記一方向への回転時に初期状態よりも対応する側壁３１ａ，３１ｂに近づくように変位させる。この変位により、端子の接点部４１（４１ａ，４１ｂ）は、対応する側壁３１ａ，３１ｂに近づく方向であって回路基板６０の対応する電極形成面６０ａ，６０ｂから離れた位置となる。すなわち、接点部４１が、回路基板６０と接触しない位置となる。
【００６７】
また、回動部５１の一方向への回転により、端子４０の溝内突出部分４２は、回動部５１に押されて変位するとともに弾性変形する。したがって、第１突起部５２が第２突起部８２を乗り越えると、弾性変形した溝内突出部分４２の反力によって回動部５１が反対方向に回転し、該回転により、溝内突出部分４２が対応する側壁３１ａ，３１ｂから遠ざかるように変位する。これにより、回路基板６０の挿入時において、端子４０の接点部４１が回路基板６０の対応する電極形成面６０ａ，６０ｂに近づき、接点部４１が電極６１に接触する。端子４０の接点部４１は、溝内突出部分４２の弾性変形による反力により、電極６１に安定的に接触する。
【００６８】
このように、回路基板６０の挿抜にともなって、端子４０の接点部４１を回路基板６０から遠ざけることができるので、従来に比べて、メッキ剥がれなどの接点部４１の損傷や、変形を抑制することができる。すなわち、カードエッジコネクタ２０を備える電子装置１０において、電気的な接続信頼性を向上することができる。
【００６９】
また、本実施形態では、電極６１が回路基板６０の両面６０ａ，６０ｂにそれぞれ設けられ、複数の端子４０が、電極６１に対応して、溝部３１の一方の側壁３１ａから突出する端子と、他方の側壁３１ｂから突出する端子とを有している。したがって、カードエッジコネクタ２０による電気的な接続経路を効率的に増やすことができる。また、回路基板６０の両面６０ａ，６０ｂ側にそれぞれ位置する溝内突出部分４２ａ，４２ｂの弾性変形による反力によって回路基板６０を両面側から固定することができる。したがって、回路基板６０の一面側に位置する端子４０と、回路基板６０の他方の面側に位置し、弾性変形による反力を付与しない支持部とで回路基板６０を固定する構成に比べて、幅方向における回路基板６０の位置調整代を大きくすることができる。例えば、反りの大きい回路基板６０にも対応することができる。また、反りなどにより、回路基板６０に過大な弾性変形による反力が付与されるのを抑制することもできる。
【００７０】
また、本実施形態では、回動部５１の外形輪郭が楕円形をなすとともに、楕円の中心が回転軸Ｃ１をなし、楕円の短軸Ａ１と外形輪郭との第１交点５４から楕円の長軸Ａ２と外形輪郭との第２交点５５までの回転角９０度以内の範囲を、溝内突出部分４２の接触部４３との接触範囲としている。回動部と端子との挿入（又は引き抜き）抵抗を低減し、回路基板をカードエッジコネクタに対して挿抜しやすくすることができる。また、このような構成を採用することで、回転軸Ｃ１と端子４０の接触部４３との距離が、初期状態で最短の距離となり、一方向への回転量に応じて長くなるとともに、一方向への回転が停止し、反対方向へ回転する前の状態で最長となる（図５及び図６参照）。したがって、端子４０の接点部４１が回路基板６０の電極６１に接触するまで、回動部５１をより確実に反対方向に回転させることができる。
【００７１】
また、回動部５１の外形輪郭が楕円形をなしており、外形輪郭が回転軸Ｃ１に対して点対称形状となっている。そして、相対する側壁３１ａ，３１ｂから突出する端子４０の溝内突出部分４２ａ，４２ｂは、初期状態で、深さ方向に沿い、幅方向で溝部３１の中心を通る仮想線に対して対称配置されるとともに、回転軸Ｃ１に対する点対称位置で回動部５１に接触部４３ａ，４３ｂが接するようになっている。したがって、同一の回動部５１により、溝内突出部分４２ａ，４２ｂを、ほぼ同じタイミングで同じ変位をさせることができる。また、対をなす端子４０の溝内突出部分４２ａ，４２ｂは、線対称構造であり、回動部５１に対してほぼ同じばね力を発揮する。したがって、回動部５１を、幅方向において溝部３１の中心付近に保持することができる。なお、回路基板６０についても、溝内突出部分４２ａ，４２により、幅方向において溝部３１の中心付近に保持することができる。
【００７２】
本実施形態では、回動部５１が、回動中だけでなく、初期状態や固定状態においても、各端子４０の溝内突出部分４２（４２ａ，４２ｂ）の接触部４３（４３ａ，４３ｂ）と接触する。したがって、回動部５１との接触部４３が支点となり、接点部４１の幅方向における位置を決めやすくなる。すなわち、回路基板６０の電極６１に対する接点部４１のコプラナリティを向上することができる。また、上記接触状態で、回動部５１が溝内突出部分４２から弾性変形による反力を受ける。したがって、初期状態で回動部５１に端子４０（溝内突出部分４２）が接触しない構成に比べて、端子４０の、変位量に対する反力を高めることができる。また、本実施形態では、相対する溝内突出部分４２ａ，４２ｂを有するので、溝内突出部分４２ａ，４２ｂの弾性変形による反力により、回動部５１を、幅方向において溝部３１の中心付近に保持することができる。
【００７３】
以上、本発明の好ましい実施形態について説明したが、本発明は上述した実施形態になんら制限されることなく、本発明の主旨を逸脱しない範囲において、種々変形して実施することが可能である。
【００７４】
回動部５１の形状及び大きさ、第１突起部５２の形状及び大きさ（長さ）、第２突起部８２の形状及び大きさ（長さ）、端子４０の溝内突出部分４２の形状、それぞれの相対的な配置については、上記例に限定されるものではない。
【００７５】
第１突起部５２を、例えば図７（ａ），（ｂ）に示すように一定幅ではなく、部分的に幅を変えても良い。図７（ａ）では、回転軸Ｃ１に対して遠い側で幅広となっており、図７（ｂ）では、回転軸Ｃ１に対して遠い側で幅狭となっている。これら第１突起部５２では、第２突起部８２との接触面が、初期状態で幅方向に対し傾いたテーパ状となっている。
【００７６】
また、回動部５１を、例えば図８（ａ），（ｂ）に示すように多角形状としても良い。図８（ａ）では、回動部５１は、回転軸Ｃ１に垂直な面の外形輪郭が略長方形（角を丸めた長方形）をなすとともに、長方形の中心が回転軸Ｃ１と一致している。このような回動部５１では、初期状態で、端子４０の接触部４３が回動部５１の長辺及び角部の少なくとも一方に接触し、初期状態に対して回動部５１が回転した状態で、接触部４３が回動部５１の角部に接触し、短辺に端子４０の接触部４３が接触しないような配置をとると良い。これによれば、外形輪郭が楕円であり、短軸Ａ１の長さが短辺と等しく、長軸Ａ２の長さが長辺と等しい回動部５１に比べて、回転角（回転量）に対する接点部４１の幅方向の変位量を大きくとることができる。また、回転軸Ｃ１と端子４０の接触部４３との距離が、初期状態で最短の距離となり、一方向への回転量に応じて長くなるとともに、一方向への回転が停止し、反対方向へ回転する前の状態で最長となる。したがって、端子４０の接点部４１が回路基板６０の電極６１に接触するまで、回動部５１をより確実に反対方向に回転させることができる。また、長方形の外形輪郭が回転軸Ｃ１に対して点対称形状となっている。したがって、上記実施形態同様、相対する側壁３１ａ，３１ｂから突出する端子４０の溝内突出部分４２ａ，４２ｂが、初期状態で、深さ方向に沿い、幅方向で溝部３１の中心を通る仮想線に対して対称配置されるとともに、回転軸Ｃ１に対する点対称位置で回動部５１に接触部４３ａ，４３ｂが接するようにすると良い。この場合、同一の回動部５１により、溝内突出部分４２ａ，４２ｂを、ほぼ同じタイミングで同じ変位をさせることができる。また、対をなす端子４０の溝内突出部分４２ａ，４２ｂは、線対称構造であり、回動部５１に対してほぼ同じばね力を発揮する。したがって、回動部５１を、幅方向において溝部３１の中心付近に保持することができる。
【００７７】
また、長方形に限らず、正方形を採用することもできる。さらには矩形に限らず、その他の多角形、例えば三角形、五角形、図８（ｂ）に示すように六角形を採用することもできる。
【００７８】
本実施形態では、相対する溝内突出部分４２ａ，４２ｂにより、回動部５１を所定位置に保持する例を示した。しかしながら、例えば図９（ａ）〜（ｃ）に示す構成を採用することで、回動部材５０の保持する機能を高めることもできる。図９に示す例では、ハウジング３０の溝部３１が、回動部材５０の回動部５１及び回路基板６０が挿入される幅広部３１ｄと、配列方向において幅広部３１ｄの両端に設定され、回動部材５０の繋ぎ部５３が挿入される幅狭部３１ｅを有している。また、幅狭部３１ｅにおける側壁の一方に凹部３５を設け、この凹部３５内に繋ぎ部５３の少なくとも一部を配置するようにしている。これによれば、回路基板６０を挿抜する際の力を、挿抜方向（深さ方向）に直交する凹部３５の側壁で受けることが可能となり、回動部材５０を回動可能に支持しつつ、回動部材５０の深さ方向での位置ズレなどを抑制することができる。なお、図９（ｂ）に示す符号３１ｂ１は、溝部３１の側壁３１ｂのうち、幅広部３１ｄに対応する武運、符号３１ｂは、幅狭部３１ｅに対応する部分である。
【００７９】
本実施形態では、回路基板６０が両面６０ａ，６０ｂに電極６１を有し、溝部３１の相対する側壁３１ａ，３１ｂから端子４０の溝内突出部分４２ａ，４２ｂが突出する。そして、溝内突出部分４２ａ，４２ｂにより、両面側から回路基板６０を固定する例を示した。しかしながら、回路基板６０の一面のみに電極６１が設けられ、溝部３１の側壁３１ａ，３１ｂの一方のみから端子４０の溝内突出部分４２が突出する構成を採用することもできる。この場合、回路基板６０を固定するために、回路基板６０の他方の面側を、ハウジング３０やケース８０に一体的に設けた支持部にて支持しても良い。また、回動部材５０についても、溝部３１の側壁３１ａ，３１ｂの一方から突出する端子４０の溝内突出部分４２と、ハウジング３０やケース８０に一体的に設けた支持部にて支持しても良い。
【００８０】
本実施形態では、初期状態で、端子４０の溝内突出部分４２が回動部５１に接する例を示したが、初期状態では接触せず、回動部５１の回動途中に溝内突出部分４２（接触部４３）と接触するようにしても良い。
【符号の説明】
【００８１】
１０・・・電子装置
２０・・・カードエッジコネクタ
３０・・・ハウジング
３１・・・溝
４０・・・端子
４１・・・接点部
４２，４２ａ，４２ｂ・・・溝内突出部分
４３，４３ａ，４３ｂ・・・接触部
５０・・・回動部材
５１・・・回動部
５２・・・第１突起部
６０・・・回路基板
８０・・・ケース
８２・・・第２突起部
Ｃ１・・・回転軸（軸）
【図１】
0005310681.tif 000002
【図２】
0005310681.tif 000003
【図３】
0005310681.tif 000004
【図４】
0005310681.tif 000005
【図５】
0005310681.tif 000006
【図６】
0005310681.tif 000007
【図７】
0005310681.tif 000008
【図８】
0005310681.tif 000009
【図９】
0005310681.tif 000010